(57)【要約】      （修正有）【課題】リング部の幅が狭く、リング部形状矩形、Ｖ字形他あらゆる形状のリング状ワークを空気消費量を少なく確実に吸着保持するリング状ワーク把持装置を提供する。【解決手段】下方が開放されている椀状の基体Ｍの内部空間をクッション室４とし、クッション室上面の中央部に高速空気流が噴出する高速空気送入口１を設け、高速空気送入口の直下のクッション室底面の位置に高速空気流が衝突し水平方向に偏向させる偏向板６を設け、偏向板下面あるいはクッション室底面のクッション室内壁と偏向板との間隙に把持するリング状ワークＧに近接してガイド７を設ける。【選択図】図１
2019025638.tif 000002
【特許請求の範囲】
【請求項１】
高速空気流Ｃが流入する空気送入口１を設けた上方部２と、該上方部２の周囲にかつ下を向いて形成された周壁部３とによりクッション室４を形成する空間を有する椀状の基部Ｍを備える一方、前記周壁部３の下端に連続する作動面５を備え、しかもクッション室４内の前記空気送入口１の真下の位置に、前記空気送入口１の口径よりも大、かつ該クッション室４の内壁面との間に広い間隙を形成する外周縁を備えた偏向板６を設け、該クッション室４の底面と同高の位置に把持するリング状ワークのリング部に近接してリング状ワークの水平移動を制限するガイドを設けたことを特徴とするリング状ワーク把持装置。
【発明の詳細な説明】
【技術分野】
【０００１】
本発明は、パッキング、Ｏリング、ブレーキカップ等のリング状のワークを把持する把持装置に関する。
【背景技術】
【０００２】
Ｏリングあるいはブレーキカップ等のリング状ワークには、リング部が丸型、角形、Ｖ字型、外側が高いＶ字型、内側が高いＶ字型、山形他の形状がある。
その製造工程には、基板から打ち抜き、成形他多くの製造方法があり、台に置かれたリング状のワークを１個づつ把持し搬送する工程がある。
【０００３】
従来、空気を噴出して負圧を発生させ、中央に穴のあるハードディスクハード等のリング状ワークを吸着するを吸引する吸着器がある。
この吸着器は中央部の空間上部に空気噴出口があり、底部中央にディスクの穴径より僅かに小さな径のボスを設けてある。
このボスをディスクの穴に挿入した状態にて、空気噴出口より吸着器の空間へ噴出した高速空気流は吸着器周壁下面とディスクとの間隙を通り外へ排出する。その間吸着器空間には負圧が生じる。この負圧はディスク穴がボスにより閉塞されているため、吸着器の空間は前記負圧が保たれディスクを吸着する。
【０００４】
リング状のパッキングのブレーキカップはリング部の幅が狭く、従って吸着器周壁下面に対向するリング部の面が小さいため、内部空間の負圧発生効率は低く、  吸着に要する消費空気量が多く、吸着力が弱く安定性に欠き、ランニングコストがかかり経済的ではない。
【０００５】
また材質がゴム状の柔軟性があるものがあり、形状が不確定である。そのためワークの穴とボスと密着度、周壁下面に形成される間隙の平行度が均一でないため、負圧の発生が低い。
【０００６】
前記吸着器はリング部の断面形状が矩形のブレーキカップは吸着可能であるがＶ字型、逆Ｖ字型、段差のあるＶ字型、山形のブレーキカップは吸着不可能である。
【０００７】
一つの吸着器で複数種のワークを吸着できない。
【先行技術文献】
【特許文献】
【０００８】
特願平８−１４９１２６号公報
【発明の開示】
【発明が解決しようとする課題】
【０００９】
解決しようとする問題点は、幅の狭いリング状ワークを確実に、吸着可能であること。
【００１０】
リング部形状がＶ字型、逆Ｖ字型、段差のあるＶ字型、山形のワークを吸着可能であること。
【００１１】
柔軟なワークも吸着可能であること。
【００１２】
空気消費量が少なく効率よく吸着可能であること。
【００１３】
ワークにより吸着器下面が閉塞されていても吸着可能であること。
【００１４】
複数種のワークを一つの吸着器で吸着可能であること。
【００１５】
ワークに切断箇所があっても吸着可能であること。  
【課題を解決するための手段】
【００１６】
本願に於いて開示される発明のうち、代表的なものの概要を簡単に説明すれば以下の通りである。
【００１７】
リング状ワークの把持装置であって、高速空気流Ｃが流入する空気送入口１を設けた上方部２と、該上方部２の周囲にかつ下を向いて形成された周壁部３とによりクッション室４を形成する空間を有する椀状の基部Ｍを備える一方、前記周壁部３の下端に連続する作動面５を備え、しかもクッション室４内の前記空気送入口１の真下の位置に、前記空気送入口１の口径よりも大、かつ該クッション室４の内壁面との間に広い間隙を形成する外周縁を備えた偏向板６を設け、該クッション室の底面と同高の位置に把持するリング状ワークのリング部に近接してリング状ワークの水平移動を制限するガイドを設けたことを特徴とするリング状ワーク把持装置により解決できる。
【００１８】
本発明はこのような構成を具える結果、空気送入口より噴出した高速空気流は高速気流となりクッション室に噴出し、直下に設けられた偏向板に当たり水平方向に向きを変え周壁部に到達し、周壁部下端の作動面に沿って排出する。この間、高速気流はクッション室内に高速旋回流を生じさせ、クッション室内の空気をエゼクタ作用により巻き込み、基部Mの外に排出し、クッション室内に負圧を生じさせる。
【００１９】
クッション室下面の偏光板６には、リング状ワークのリング内径よりやや小なるリング状ワークの水平移動を制限するガイド７が設けられており、偏向板により水平方向に向きを変え作動面に向かう高速空気流がワークに当たることを阻止し、ワークが高速空気流により下向きの力を受け、脱着することを防止している。このため前記クッション室内にて生じた負圧によりリング状ワークは吸着可能になる。
【発明の効果】
【００２０】
本発明の効果を次に記す。
【００２１】
１．幅の小なるリング状ワークを確実に吸着可能である。
【００２２】
２．リング部形状がＶ字型、逆Ｖ字型、段差のあるＶ字型、山形のワークを吸着可能である。
【００２３】
３．柔軟なワークも吸着可能である。
【００２４】
４．空気消費量が少なく効率よく吸着可能である。
【００２５】
５．ワークにより吸着器下面が閉塞されていても吸着可能である。
【００２６】
６．複数種のワークを一つの吸着器で吸着可能であること。
【発明を実施するための最良の形態】
【００２７】
発明を実施するための最良の形態を下記に示す。    
【実施例１】
【００２８】
図１は本発明のリング状ワーク把持装置Ａの正面図を、図２は下平面図をしめす。
【００２９】
図１および図２に示すように、高速空気流Ｃが流入する空気送入口１を設けた上方部２周囲に、下方に向く周壁部３を形成した椀状の基部Ｍの下方を開放し、基部Ｍの内部空間にクッション室４を形成し、前記周壁部３の下端に広幅かつ該周壁部３方向に連続する作動面５を設け、前記クッション室４内の流体送入口１の真下の位置に、ブラケット８により周壁部３に取り付けられた、空気送入口１の口径よりも大、かつ前記クッション室４の内壁との間に広い間隙を形成する外周縁を備えた偏向板６を設け、前記クッション室４の底面と同高の位置に把持するリング状ワークＧのリング部に近接してリング状のガイド７を設けてリング状ワーク把持装置Ａを形成する。
【００３０】
空気送入口１には、送風機あるいは圧縮機等の高速空気流源が管路（図示せず）を介して接続している。
【００３１】
本発明はこのような構成を具える結果、高速空気流Ｃ源より管路を通して送られてきた高速空気流流Ｃは、流体送入口１よりクッション室４に入り、クッション室４の下面に近接して置かれたリング状ワークＧに向かって噴出されるが、クッション室４の空気送入口１の真下の位置に設けられた流体送入口１の口径より大きな薄い偏向板６に衝突し、流れを水平方向を変えられ、リング状ワークＧの上面を沿って流れ、クッション室４の内壁と偏向板６の外周縁とで形成される広い間隙を通りクッション室４外に排出する。
【００３２】
この間、高速空気流Ｃはクッション室４内に高速旋回流を生じさせ、クッション室４内の空気をエゼクタ作用により巻き込み、高速空気流Ｃに伴ってクッション室４外に排出され、クッション室４内に図5に示すように負圧を生じさせリング状ワークGを吸引し、偏向板６を支持しているブラケット８の下に吸着させる。
【実施例２】
【００３３】
また 図３に別の本発明のリング状ワーク把持装置Bの正面図を、図４に下平面図をしめす。
【００３４】
本発明のリング状ワーク把持装置Bは、リング状ワークG２の外径が偏光板６の外径より小な場合に用いるリング状ワーク把持装置Bである。その他の機構および構成は前述の実施例１のリング状ワーク把持装置Aと同一である。
【００３５】
図３に示すように偏光板６ｂより小径のリング状ワークG２は   高速空気流Ｃ源より管路を通して送られてきた高速空気流Ｃは、流体送入口１よりクッション室４に入り、クッション室４の下面に近接して置かれたリング状ワークＧに向かって噴出されるが、クッション室４の空気送入口１の真下の位置に設けられた流体送入口１の口径より大きな薄い偏向板６ｂの上面に衝突し、流れを水平方向を変えられ、リング状ワークＧ２の上面を沿って流れ、クッション室４の内壁と偏向板６ｂの外周縁とで形成される広い間隙を通りクッション室４外に排出する。
【００３６】
この間、高速空気流Ｃはクッション室４内に高速旋回流を生じさせ、クッション室４内の空気およびクッション室４の基部Mの下方の空気も巻き込み、高速空気流Ｃに伴って排出され、クッション室４内および図５に示すようにクッション室４下方部に負圧を生じさせリング状ワークG２を吸引し、偏向板６ｂの下面に吸着させる。
【図面の簡単な説明】
【００３７】
【図１】本発明の実施例１のリング状ワーク把持装置Ａの正面図である。
【図２】本発明の実施例１のリング状ワーク把持装置Ａの下平面図である
【図３】本発明の別の実施例２のリング状ワーク把持装置Ｂの正面図である。
【図４】本発明の別の実施例２のリング状ワーク把持装置Ｂの下平面図である。
【図５】高速空気流Cにより生じるリング状ワーク把持装置ＡおよびＢ下部の負圧量を表す線図である。
【符号の説明】
【００３８】
１    高速気流送入口
２    上方部
３    周壁部
４    クッション室
５    作動面
６，６ａ、６ｂ  偏向板
７    ガイド
８、１４  ブラケット
１０  ガイド
Ａ、Ｂ     リング状ワーク把持装置
Ｃ    高速空気流
Ｍ    基体
Ｇ、Ｇ１，Ｇ２    リング状ワーク
【図１】
2019025638.tif 000003
【図２】
2019025638.tif 000004
【図３】
2019025638.tif 000005
【図４】
2019025638.tif 000006
【図５】
2019025638.tif 000007